(57)【要約】【課題】粉粒体を単位面積当たり一定量、均一に散布できる散布装置を提供する。【解決手段】散布装置１は、互いに平行に水平方向に延びる一対の立壁１１と、立壁１１の長手方向の少なくとも一方の端部に設けられる側立壁１３Ａと、立壁１１の下端部に設置され、厚み方向に貫通する複数の孔を有する有孔底部１５と、立壁１１の下端辺に沿って設けられ、孔に入る被散布物の体積と有孔底部１５の下方に積層される被散布物の体積の和が散布面積当たりに要求される被散布物の重量を体積に変換した値に等しくなるように高さが設定される厚さ調節部１４と、を備える。【選択図】図１１
0003215863.tif 000002
【実用新案登録請求の範囲】
【請求項１】
互いに平行に水平方向に延びる一対の立壁と、
前記立壁の長手方向の少なくとも一方の端部に設けられる側立壁と、
前記立壁の下端部に設置され、厚み方向に貫通する複数の孔を有する有孔底部と、
前記立壁の下端辺に沿って設けられ、前記孔に入る被散布物の体積と前記有孔底部の下方に積層される被散布物の体積の和が散布面積当たりに要求される被散布物の重量を体積に変換した値に等しくなるように高さが設定される厚さ調節部と、
を備える散布装置。
【請求項２】
前記有孔底部は、
少なくとも一つの端部に孔を有さないブランク部を備える請求項１に記載の散布装置。
【請求項３】
前記有孔底部は、
裏面側の前記ブランク部の孔側端部に規制部材をさらに備える請求項２に記載の散布装置。
【請求項４】
前記側立壁は、
前記立壁に着脱可能に取り付けられる請求項１に記載の散布装置。
【請求項５】
前記側立壁は、
前記立壁に開閉自在に取り付けられる請求項１に記載の散布装置。
【考案の詳細な説明】
【技術分野】
【０００１】
本考案は、散布装置に関する。
【背景技術】
【０００２】
池や河川、或いは地下構造物の止水には、不織布と織布によって形成され、ベントナイトを封入する土木用シートが使用される。この土木用シートは、一定の幅があり、止水したい部分の幅が土木用シートの幅より広い場合には、複数枚の土木用シートがつなぎ合わされて使用される。
【０００３】
土木用シート同士の接着は、一方の土木用シートのつなぎ代の部分にベントナイトを散布し、さらに水をかけ、他方の土木用シートのつなぎ代をこの水がかけられたベントナイトの上に重ねることによって行われる。
【０００４】
ここで、つなぎ代に散布されるベントナイトの量は、少なすぎると隙間ができて水が漏れ、多すぎるとベントナイトが無駄になる。従って、接着に使用するベントナイトは単位面積当たり一定量であることが求められる。
【０００５】
しかし、従来は接着用のベントナイトはひしゃく等によって目分量により散布され、厚い部分と薄い部分ができ、一定量を均一に散布することができなかった。
【０００６】
この点に関し、トラックのような走行車に散布機を載せ、一定速度にて散布しながら走行する技術が提案されている。
【０００７】
しかし、この技術では散布機の製造コストがかかるだけでなく、施工場所によっては幅が狭く散布できない場合がある。
【先行技術文献】
【特許文献】
【０００８】
【特許文献１】特開２００９−２８７３４２号公報
【考案の概要】
【考案が解決しようとする課題】
【０００９】
本考案が解決しようとする課題は、粉粒体を単位面積当たり一定量、均一に散布できる散布装置を提供することである。
【課題を解決するための手段】
【００１０】
本考案は、互いに平行に水平方向に延びる一対の立壁と、前記立壁の長手方向の少なくとも一方の端部に設けられる側立壁と、前記立壁の下端部に設置され、厚み方向に貫通する複数の孔を有する有孔底部と、前記立壁の下端辺に沿って設けられ、前記孔に入る被散布物の体積と前記有孔底部の下方に積層される被散布物の体積の和が散布面積当たりに要求される被散布物の重量を体積に変換した値に等しくなるように高さが設定される厚さ調節部と、を備える散布装置を提供する。
【考案の効果】
【００１１】
本考案によれば、粉粒体を単位面積当たり一定量、均一に散布できる散布装置を提供することができる。
【図面の簡単な説明】
【００１２】
【図１】第１の実施形態の散布装置の斜視図。
【図２】第１の実施形態の散布装置の底面斜視図。
【図３】図１における散布装置のＡ１Ａ１断面図。
【図４】第２の実施形態の散布装置の斜視図。
【図５】第２の実施形態の散布装置の底面斜視図。
【図６】第３の実施形態の散布装置の斜視図。
【図７】第３の実施形態の散布装置の底面斜視図。
【図８】図６における散布装置のＡ２Ａ２断面図。
【図９】第４の実施形態の散布装置の底面斜視図。
【図１０】第４の実施形態の散布装置の第１の変形例の底面斜視図。
【図１１】第４の実施形態の散布装置の第２の変形例の底面斜視図。
【考案を実施するための形態】
【００１３】
以下、本考案の一実施形態に係る散布装置１を、図面を参照しながら説明する。散布装置１は、被散布物を散布するために用いられる。被散布物は主として粉状物、粒状物である。具体的な被散布物の例としては、止水シートを接着するベントナイトが挙げられる。
【００１４】
（第１の実施形態）
図１は本実施形態の散布装置１の斜視図、図２は本実施形態の散布装置１の底面斜視図である。
【００１５】
図１及び図２に示すように、散布装置１は、一対の立壁１１と、仕切り壁１２と、仕切り壁ガイド１３と、厚さ調節部１４と、高さ調節部１４Ａと、有孔底部１５と、を備える。
【００１６】
立壁１１は、互いに平行に水平方向に延び、散布装置の内部に投入される粉粒体が溢れ出ない程度の高さを有する。立壁１１の長さＬ１は立壁１１同士の間隔Ｌ２より長い。
【００１７】
仕切り壁ガイド１３は、仕切り壁１２を嵌め込む切り欠きを有し、各立壁１１の両端部に切り欠きが互いに対向するように配置される。
【００１８】
仕切り壁１２は、立壁１１の高さとほぼ等しく、仕切り壁ガイド１３の切り欠きに着脱可能に嵌め込まれる。
【００１９】
有孔底部１５は、立壁１１、仕切り壁１２、及び仕切り壁ガイド１３によって区画された矩形の空間の底部を塞ぐように設けられる。有孔底部１５は、厚み方向に貫通する複数の孔を有する板状の部材であり、例えばパンチングメタルを使用することができる。
【００２０】
厚さ調節部１４は、立壁１１の有孔底部１５に接する辺に沿って設けられ、有孔底部１５を立壁１１とともに挟み、立壁１１にビス止めされる。
【００２１】
高さ調節部１４Ａは、一対の厚さ調節部１４の一方に、厚さ調節部１４に沿って設けられる。厚さ調節部１４は、複数のリブ１４Ｂを有する。リブ１４Ｂは止水シートがめくれて厚さ調節部１４が作り出す空間に入り込み、被散布物の散布厚が薄くなることを避けるためのものである。
【００２２】
図３は、図１における散布装置１のＡ１Ａ１断面図である。図３に示すように、厚さ調節部１４は高さＨ１を有する。有孔底部１５は高さＨ２を有する。高さ調節部１４Ａは、接着しようとする止水シート１枚分の厚さに相当する高さＨ３を有する。リブ１４Ｂの高さは厚さ調節部１４の高さＨ１と同じ高さを有する。有孔底部１５は、直径φ１の孔を１平方メートル当たりｎ個有する。厚さ調節部１４同士は長さＷ１の間隔が開けられる。
【００２３】
これらの高さの関係は、接着用のベントナイトの１平方メートル当たりに要求される重量をＭ（ｋｇ）、ベントナイトの重量を体積に変換するための係数をα、換算後のベントナイトの体積をＶ（ｍ３）とすると、以下の（式１）の関係になるように定められる。なお、各長さ、幅、及び高さの単位はｍである。また、αはベントナイトの種類や状態に依存し、概ね０．５〜１．０が好ましい。
【００２４】
Ｖ＝α×Ｍ
＝（有孔底部１５の下方に積層されるベントナイトの体積）＋（有孔底部１５の孔に入るベントナイトの体積）
＝（Ｗ１×Ｌ１×Ｈ１）＋（π（φ１／２）２×ｎ×（Ｗ１×Ｌ１）×Ｈ２）・・・（式１）
【００２５】
厚さ調節部１４は、孔に入る被散布物の体積と有孔底部１５の下方に積層される被散布物の体積の和が散布面積当たりに要求される被散布物の体積に等しくなるように高さＨ１が設定される。
【００２６】
次に、散布装置１の使用方法について説明する。
【００２７】
（１）仕切り壁１２を仕切り壁ガイド１３に装着した状態において、１枚目の止水シートの接着代の端部に高さ調節部１４Ａを合わせて散布装置１を載置する。
【００２８】
（２）有孔底部１５の上に、体積Ｖと等しい量、又は体積Ｖよりも若干多い量のベントナイトを載置する。
【００２９】
（３）へら又はならし板などによって載置されたベントナイトを、有孔底部１５の上に残らないように均等にならす。
【００３０】
（４）仕切り壁１２を外して、余分なベントナイトを取り除く。
【００３１】
（５）最後に、散布装置１を取り除く。
【００３２】
以上の（１）〜（５）の動作を、接着部分の一端から他端に向かって順次繰り返す。
【００３３】
なお、散布装置１は、端部に移動用のローラを有していてもよい。このローラは、散布装置１を止水シートに設置した場合に、止水シートに接触しないように配置される。また、仕切り壁ガイド１３は、立壁の両端部ではなく、一方の端部のみに設けてもよい。さらに、散布装置１は、金属のほか、木材、合成樹脂、可撓性材料などによって形成することができる。可撓性材料によって形成される散布装置１は、持ち運ぶときに折りたたんだり、巻いたりすることができるため、便利である。
【００３４】
以上述べたように、本実施形態の散布装置１は、互いに平行に水平方向に延びる一対の立壁１１と、切り欠き部を有し、切り欠き部が間隔をあけて対向するように立壁１１の端部に設けられる仕切り壁ガイド１３と、仕切り壁ガイド１３に着脱可能に設けられる仕切り壁１２と、立壁１１、仕切り壁ガイド１３、及び仕切り壁によって区画される空間の底部を塞ぐように設置され、厚み方向に貫通する複数の孔を有する有孔底部１５と、立壁１１の下端辺に沿って設けられ、孔に入る被散布物の体積と有孔底部１５の下方に積層される被散布物の体積の和が散布面積当たりに要求される被散布物の重量を体積に変換した値に等しくなるように高さが設定される厚さ調節部１４と、一対の厚さ調節部１４のうちの一方に沿って設けられ、接着される止水シートの厚さに相当する高さを有する高さ調節部１４Ａと、を備える。
【００３５】
従って、本考案によれば、被散布物である粉粒体を単位面積当たり一定量、均一に散布できる散布装置を提供することができるという効果がある。また、本考案によれば、ライン引きや手まきによって散布するより作業時間を短縮することができるという効果がある。
【００３６】
（第２の実施形態）
図４は本実施形態の散布装置１の斜視図、図５は本実施形態の散布装置１の底面斜視図である。
【００３７】
図４及び図５に示すように、第２の実施形態の散布装置１は、第１の実施形態の散布装置１の有孔底部１５として網状体であるメッシュ１５Ａを用いるものである。
【００３８】
第２の実施形態の散布装置１の構成は、有孔底部１５としてメッシュを用い、厚さ調節部１４の高さＨ１が変更になるほかは第１の実施形態の散布装置１の構成と同様である。
【００３９】
厚さ調節部１４の高さＨ１は、メッシュ１５Ａの厚さをＨ４、メッシュ１５Ａの平面視における穴の部分の面積の割合をｎ１とすると、以下の（式２）を満たすように定められる。
【００４０】
Ｖ＝α×Ｍ
＝（メッシュ１５Ａの下方に積層されるベントナイトの体積）＋（メッシュ１５Ａの孔に入るベントナイトの体積）
＝（Ｗ１×Ｌ１×Ｈ１）＋（ｎ１×（Ｗ１×Ｌ１）×Ｈ４）・・・（式２）
【００４１】
第２の実施形態の散布装置１の使用方法は、第１の実施形態の散布装置１の使用方法と同様である。
【００４２】
以上述べたように、本実施形態の散布装置１は、有孔底部１５としてメッシュ１５Ａを用いる。
【００４３】
従って、散布後の被散布物の表面の状態がより滑らかになるという効果がある。
【００４４】
（第３の実施形態）
図６は本実施形態の散布装置１の斜視図、図７は、本実施形態の散布装置１の底面斜視図、図８は図６における散布装置１のＡ２Ａ２断面図である。
【００４５】
図６から図８までに示すように、第３の実施形態の散布装置１は、第１の実施形態の散布装置１の有孔底部１５を省略したものである。
【００４６】
第３の実施形態の散布装置１の構成は、有孔底部１５を省略し、厚さ調節部１４の高さＨ１が高さＨ５に変更になるほかは第１の実施形態の散布装置１の構成と同様である。
【００４７】
厚さ調節部１４の高さＨ５は、以下の（式３）を満たすように定められる。
【００４８】
Ｖ＝α×Ｍ
＝（厚さ調節部１４の厚みによって生じる空間１５Ｂの体積）
＝Ｗ１×Ｌ１×Ｈ５・・・（式３）
【００４９】
第３の実施形態の散布装置１の使用方法は、第１の実施形態の散布装置１の使用方法と同様である。
【００５０】
以上述べたように、本実施形態の散布装置１は、互いに平行に水平方向に延びる一対の立壁１１と、切り欠き部を有し、切り欠き部が間隔をあけて対向するように立壁１１の端部に設けられる仕切り壁ガイド１３と、仕切り壁ガイド１３に着脱可能に設けられる仕切り壁１２と、立壁１１の下端辺に沿って設けられ、積層される被散布物の体積、つまり厚みによって生じる空間１５Ｂの体積が散布面積当たりに要求される被散布物の重量を体積に変換した値に等しくなるように高さが設定される厚さ調節部１４と、一対の厚さ調節部１４のうちの一方に沿って設けられ、接着される止水シートの厚さに相当する高さを有する高さ調節部１４Ａと、を備える。
【００５１】
従って、より安価に散布装置１を製造することができるという効果がある。
【００５２】
（第４の実施形態）
図９は本実施形態の散布装置１の底面斜視図である。本実施形態の散布装置１の構成は、第１の実施形態における仕切り壁１２及び仕切り壁ガイド１３の一方又は両方の代わりに側立壁１３Ａを用いた点が異なる他は、第１の実施形態の散布装置１の構成と同様である。従って、側立壁１３Ａについてのみ説明する。
【００５３】
側立壁１３Ａは、立壁１１の幅方向端部に取り付けられる板状の部材である。側立壁１３Ａは立壁１１の幅方向端部に固定されていても、着脱可能に取り付けられていてもよい。側立壁１３Ａの高さは、立壁１１の高さと同じであることが、操作性の点から望ましいが、立壁１１の高さと異なっていてもよい。また、側立壁１３Ａは立壁１１に開閉自在に取付けられていてもよい。
【００５４】
側立壁１３Ａは、持ち運び用の取手を有していてもよい。
【００５５】
図１０は、本実施形態の散布装置１の第１の変形例の底面斜視図である。図１０に示すように、本変形例の散布装置１の構成は、有孔底部１５が孔の無いブランク部１５Ｃを有する他は、本実施形態の図９に示した散布装置１の構成と同様である。
【００５６】
ブランク部１５Ｃの位置は、有孔底部１５の長手方向の一端部に設けることが作業効率の上から望ましいが、有孔底部１５の両端部に設けることや、有孔底部１５の幅方向端部に設けることもできる。つまり、ブランク部１５Ｃは有孔底部１５の少なくとも一つの端部に設けられる。
【００５７】
本変形例の散布装置１においては、式（１）のＬ１は、有孔底部１５の長手方向の一方の端部の孔の外側端部から他方の端部の孔の外側端部までの距離となる。
【００５８】
本変形例の散布装置１の使用方法は、第１の実施形態の散布装置１の使用方法の「（４）仕切り壁１２を外して、余分なベントナイトを取り除く。」の代わりに、「（４）余分なベントナイトをブランク部１５Ｃに載せる。」を行う点において異なる他は、第１の実施形態の散布装置１の使用方法と同様である。
【００５９】
散布装置１の有孔底部１５にブランク部１５Ｃを設けることにより、余分なベントナイトを一時的にブランク部１５Ｃの上に載置できるため、操作性が向上するという効果がある。
【００６０】
図１１は、本実施形態の散布装置１の第２の変形例の底面斜視図である。図１１に示すように、本変形例の散布装置１の構成は、有孔底部１５が裏面（図１１において視認される、地面に面する面。）側のブランク部１５Ｃの孔側端部に規制部材１５Ｄを有する他は、第１の変形例の散布装置１の構成と同様である。
【００６１】
規制部材１５Ｄの厚さは、厚さ調節部１４の高さと同じである。規制部材１５Ｄは、一対の厚さ調節部１４の間に設けられる。
【００６２】
本変形例の散布装置１においては、式（１）のＬ１は、有孔底部１５の長手方向のブランク部１５Ｃが設けられていない一端から規制部材１５Ｄの孔側端部までの距離となる。
【００６３】
本変形例の散布装置１の使用方法は、第１の変形例の散布装置１の使用方法と同様である。
【００６４】
散布装置１の有孔底部１５のブランク部１５Ｃに規制部材１５Ｄを設けることにより、操作性を向上させながら、ベントナイトの量をより正確に散布できる効果がある。
【００６５】
以上述べたように、本実施形態の散布装置１は、互いに平行に水平方向に延びる一対の立壁１１と、立壁１１の長手方向端部に設けられる側立壁１３Ａと、立壁１１の下端部に設置され、厚み方向に貫通する複数の孔を有する有孔底部１５と、立壁１１の下端辺に沿って設けられ、孔に入る被散布物の体積と有孔底部１５の下方に積層される被散布物の体積の和が散布面積当たりに要求される被散布物の重量を体積に変換した値に等しくなるように高さが設定される厚さ調節部１４と、一対の厚さ調節部１４のうちの一方に沿って設けられ、接着される止水シートの厚さに相当する高さを有する高さ調節部１４Ａと、を備える。
【００６６】
従って、本実施形態によれば、より操作性を向上させ、かつ、より安価に製造できる散布装置１を提供することができるという効果がある。
【００６７】
なお、いずれも実施形態においても、高さ調節部１４Ａ及びリブ１４Ｂのいずれか一方又は両方を省略して設けないこともできる。高さ調節部１４Ａ及びリブ１４Ｂを設けない場合には、防水シートの端部に散布装置１の厚さ調節部１４の端部を合わせて使用する。
【符号の説明】
【００６８】
１  散布装置
１１  立壁
１２  仕切り壁
１３  仕切り壁ガイド
１３Ａ  側立壁
１４  厚さ調節部
１４Ａ  高さ調節部
１４Ｂ  リブ
１５  有孔底部
１５Ａ  メッシュ
１５Ｂ  厚さ調節部の厚みによって生じる空間
１５Ｃ  ブランク部
１５Ｄ  規制部材
【図１】
0003215863.tif 000003
【図２】
0003215863.tif 000004
【図３】
0003215863.tif 000005
【図４】
0003215863.tif 000006
【図５】
0003215863.tif 000007
【図６】
0003215863.tif 000008
【図７】
0003215863.tif 000009
【図８】
0003215863.tif 000010
【図９】
0003215863.tif 000011
【図１０】
0003215863.tif 000012
【図１１】
0003215863.tif 000013